(57)【要約】【課題】  低速で帯を緩めるとき急激に帯が緩むことを防止することができるラチェットバックルを提供する。【解決手段】  ラチェットバックルは固定部１とレバー部２とシャフト３とを備える。固定部１には上ストッパー１１および下ストッパー１２が設けられる。下ストッパー１２は、上ストッパー１１より固定部１両側から長く延びる。レバー部２は上ストッパー１１端部より内側に位置する凸部２０を有する。レバー部２の外側に位置するプレート６は当接領域６０を備える。低速で帯を緩めるため駆動つめ５がスロット１６内に位置するときは、上ストッパー１１および下ストッパー１２のどちらかがラチェットギア４０に係合する。したがって、低速で帯を緩める際に急激に帯が緩むことを防止することができる。【選択図】図６
0003172869.tif 000002
【実用新案登録請求の範囲】
【請求項１】
固定部と、シャフトと、レバー部とを備え、
前記シャフトは、前記固定部および前記レバー部を回動可能に支持し、
前記シャフトの両端には、前記固定部と前記レバー部との間にラチェットが固定され、
前記固定部のうち前記シャフトの径外部には、周方向で順にガイド領域、スロット及び位置決め溝が形成され、
前記レバー部は、駆動つめと、前記シャフトに対し当該駆動つめとは反対側に位置する凸部とを有し、
前記固定部には、２つの前記ラチェットが回転する際に逆回転しないように当該ラチェットと係合する２つのストッパーが設けられ、
前記駆動つめが前記ガイド領域に沿うように前記レバー部が回動する行程において、前記駆動つめは２つのラチェットを回転させ、
前記駆動つめが前記位置決め溝内にある時、２つの前記ストッパーは共に前記ラチェットのラチェットギアから外れ、
前記駆動つめが前記スロット内にある時、前記凸部が周方向に往復することで２つの前記ストッパーを押し離し、低速で帯を緩めるラチェットバックルであって、
２つの前記ストッパーのうち、前記レバー部で押圧されると当該レバー部に近接する方を上ストッパーとし、もう一方を下ストッパーとすると、前記下ストッパーは、前記上ストッパーより前記固定部の両外側に長く延び出し、
前記シャフトの軸方向両端には、前記レバー部の外側に位置するプレートが設けられ、
各前記プレートとこれに対応する前記レバー部とを連接部材で固定し、
各前記プレートは径外部に当接領域を形成し、
前記当接領域は、前記上ストッパーに対し前記軸方向外側であって且つ前記下ストッパーの端部に当接可能な位置に設けられ、前記駆動つめが前記ガイド領域にある時、前記下ストッパーに当接し当該下ストッパーを前記ラチェットから離間させることを特徴とするラチェットバックル。
【請求項２】
前記プレートは、前記シャフトの径外方向に位置する複数の第１貫通孔と、当該第１貫通孔の径外方向に前記レバー部側に突き出す第１凸起とを有し、
前記レバー部は、前記第１貫通孔の対応する位置の第２貫通孔と、当該第２貫通孔の径外方向に前記プレート側に突き出す第２凸起とを有し、
前記連接部材、前記第１貫通孔と前記第２貫通孔内とを挿通し、前記プレートと前記レバー部とを固定するリベットであり、
前記第１凸起と前記第２凸起とが対向するように当接することで前記レバー部と前記プレートとが間隔を置いて設けられることを特徴とする請求項１に記載のラチェットバックル。
【考案の詳細な説明】
【技術分野】
【０００１】
本考案は、ラチェットバックルに関する。
【背景技術】
【０００２】
図８に示すように、公知のラチェットバックル９は固定部９０およびレバー部９１をシャフト９２で回動可能に支持している。シャフト９２にはラチェット９３が設けられ、固定部９０には上下に対向するように位置する２つのストッパー９４、９５が設けられている。これらの２つのストッパー９４、９５はラチェット９３の同一側で交互にラチェット９３のラチェットギア９３０に嵌合する。レバー部９１には駆動つめ９６が設けられている。
【０００３】
このラチェットバックル９では、レバー部９１の引っ張りに伴い、駆動つめ９６がラチェットギア９３０に噛合してラチェット９３を回転させると共に２つのストッパー９４、９５がラチェットギア９３０と嵌合し、シャフト９２を回転させて帯を元に戻す。
【０００４】
上記公知のラチェットバックル９で帯を緩める場合、駆動つめ９６と２つのストッパー９４、９５を共にラチェット９３の嵌合から離間させることで一気に高速で帯が緩むほかに、図９で示すように、レバー部９１先端の凸部９１０で２つのストッパー９４、９５を交互にラチェットギア９３０から離間させることで、ラチェット９３の１つのギア分毎に少しずつ低速で帯が緩む。
【考案の概要】
【考案が解決しようとする課題】
【０００５】
ラチェットバックル９では、帯が強く締まると、シャフト９２に対し放射状に張力が生じる。ラチェットバックル９のレバー部９１の凸部９１０を２つのストッパー９４、９５の間まで引っ張ると、ストッパー９４が凸部９１０に当接する。このときラチェットギア９３０との嵌合がブロックされると、ストッパー９４、９５とラチェットギア９３０とが共に完全に嵌合しない状況が生まれる。このとき軸９２は前記帯の放射状の張力により引っ張られ、帯を緩める方向へ回転して帯が瞬時に緩む。これにより、帯で縛られた貨物が落下する虞があり、貨物が損傷する上に、人が怪我する可能性もある。
【０００６】
本考案は、このような問題に鑑みてなされたものであり、その目的は、低速で帯を緩める際に急激に帯が緩むことを防止することができるラチェットバックルを提供することである。
【課題を解決するための手段】
【０００７】
本考案に係るラチェットバックルは、固定部とレバー部とシャフトとを備える。シャフトは固定部およびレバー部を回転可能に支持する。シャフトの両端には固定部とレバー部の間に位置するラチェットが固定される。固定部のうちシャフトの径外部には、周方向で順にガイド領域、スロット及び位置決め溝が形成される。レバー部は、駆動つめ、及び、シャフトに対し駆動つめとは反対側に凸部を有する。固定部には、２つのラチェットが回転する際に逆回転しないようにラチェットと係合する２つのストッパーが設けられる。
【０００８】
駆動つめがガイド領域に沿うようにレバー部が回動する行程において、駆動つめは２つのラチェットを回転させる。また、駆動つめが位置決め溝内にある時、２つのストッパーは共にラチェットのラチェットギアから外れる。また、駆動つめがスロット内にある時、凸部が周方向に往復して２つのストッパーを押し離し、低速で帯を緩める。
【０００９】
２のストッパーのうち、レバー部で押圧されるとレバー部に近接する方を上ストッパーとし、もう一方を下ストッパーとすると、下ストッパーは、固定部の外側に伸びる長さが上ストッパーより長い。シャフトの両端には、レバー部の外側の位置にプレートが設けられ、各プレートとこれに対応するレバー部との間を連接部材で固定する。各プレートは径外部に当接領域を形成し、この当接領域は上ストッパーおよび下ストッパーの長さが相違する間にある。当接領域は、駆動つめがガイド領域にある時、下ストッパーに当接してラチェットから離間する。
【図面の簡単な説明】
【００１０】
【図１】本考案の一実施形態に係るラチェットバックルの外観斜視図である。
【図２】本考案の一実施形態に係るラチェットバックルの側面図である。
【図３】本考案の一実施形態に係るラチェットバックルの上面視断面図である。
【図４】本考案の一実施形態に係るラチェットバックルのプレートとレバー部が連結部材で結合されたことを示す断面図である。
【図５】本考案の一実施形態に係るラチェットバックルが強く引っ張られた際の動作の概略図である。
【図６】本考案の一実施形態に係るラチェットバックルが低速で帯を緩める際の動作の概略図である。
【図７】本考案の一実施形態に係るラチェットバックルが高速で帯を緩める際の動作の概略図である。
【図８】公知のラチェットバックルの外観斜視図である。
【図９】公知のラチェットバックルの２つのストッパーとラチェットとの嵌合が不完全なときの構造の概略図である。
【考案を実施するための形態】
【００１１】
以下、本考案の実施形態を図面に基づいて説明する。
（一実施形態）
【００１２】
本考案の第１実施形態によるラチェットバックルを図１〜図５に示す。
図１〜３に示すように、本実施形態に係るラチェットバックルは、固定部１、シャフト３およびレバー部２を備える。シャフト３は、固定部１およびレバー部２を回転可能に支持する。シャフト３の両端には、固定部１とレバー部２との間に位置するラチェット４が設けられている。レバー部２は駆動つめ５を有し、この駆動つめ５はラチェット４のラチェットギア４０のギア間に嵌合可能である。
【００１３】
固定部１のうちシャフト３とは反対側の一端には、帯に結合する連接棒１０が設けられている。固定部１は、連接棒１０とシャフト３の間に上ストッパー１１および下ストッパー１２を設けている。上ストッパー１１は、押圧された際に下ストッパー１２よりもレバー部２に近接する。上ストッパー１１および下ストッパー１２は、シャフト３の軸心方向の両側が固定部１の外側に延びるように形成されている。下ストッパー１２は、上ストッパー１１より長く固定部１の外側に延びる。
【００１４】
レバー部２のうち前記軸心方向の両側には、それぞれ凸部２０が形成されている。各凸部２０は、シャフト３から放射状に延び、シャフト３近傍に位置し、且つ、駆動つめ５と対向する側にある。各凸部２０は、上ストッパー１１末端の内側にある。
【００１５】
図２に示すように、固定部１のうちシャフト３を軸支する箇所にガイド領域１３があり、このガイド領域１３は、駆動つめ５の末端が引っ張られると当接する。このガイド領域１３は周方向の端にブロック壁１４を備え、このブロック壁１４はレバー部２が引っ張られると駆動つめ５をブロックする。このブロック壁１４に対しガイド領域１３とは反対側には位置決め溝１５が形成され、位置決め溝１５とガイド領域１３の間にスロット１６が形成されている。駆動つめ５は、ガイド領域１３内にあるとラチェット４を回転させ、ガイド領域１３の端まで引っ張られるとブロック壁１４に当接する。このとき駆動つめ５が引っ張られたまま位置決め溝１５まで移動して位置決め溝１５に挿入されると、駆動つめ５は完全にラチェットギア４０から外れる。
【００１６】
図１〜３図に示すように、シャフト３の両端にはそれぞれプレート６が設けられている。２枚のプレート６はレバー部２の外側にあり、各プレート６とこれに対応するレバー部２とは連接部材７で互いに固定されている。各プレート６は、径外側に当接領域６０を形成する。この当接領域６０は、上ストッパー１１と下ストッパー１２の長さが相違する間にある。この当接領域６０は、駆動つめ５がガイド領域１３にある時、下ストッパー１２に当接してラチェット４から離間する。
【００１７】
本実施形態では、プレート６は、周方向で互いに離間する複数の第１貫通孔６１を有する。プレート６の各第１貫通孔６１の周囲にはそれぞれレバー部２側に突き出す第１凸起６２が形成され、レバー部２の各第１貫通孔６１の対向位置には、それぞれ第２貫通孔２１が形成されている。レバー部２の各第２貫通孔２１の周囲にはそれぞれ第２凸起２２が形成されている。図４に示すように、連接部材７はリベットとし、対向する第１貫通孔６１と第２貫通孔２１内を挿通し、固定プレート６とレバー部２を留めている。第１凸起６２と第２凸起２２は対向して当接し、レバー部２とプレート６の間に間隔を空け、上ストッパー１１と下ストッパー１２の長さの差に対応し、凸部２０は対向するように上ストッパー１１に当接し、当接領域６０は対向するように下ストッパー１２に当接する。
【００１８】
図５に示すように、駆動つめ５がガイド領域１３でラチェット４を引っ張って回転させると、上ストッパー１１は往復するようにラチェット４のラチェットギア４０底部に嵌め込まれて、ラチェット４が逆回転しないようにブロックする。これによりラチェット４はシャフト３を回転させて帯を巻く。下ストッパー１２は当接領域６０の周縁によってラチェットギア４０との嵌合が解除させられる。
【００１９】
図６に示すように、レバー部２を引っ張って当接領域６０を下ストッパー１２から離間させ、凸部２０が下ストッパー２に当接して越えると、凸部２０は上ストッパー１１と下ストッパー１２の間にシフトする。このとき駆動つめ５がスロット１６内に挿入され、下ストッパー１２がラチェット４をブロック可能になると、レバー部２が前後にシフトすることによって、各凸部２０が順番に上ストッパー１１と下ストッパー１２を押し離して、駆動つめ５がラチェット４のラチェットギア４０を駆動して、ギアの行程が往復して帯から離間する。
【００２０】
また、図７に示すように、駆動つめ５が位置決め溝１５内にある時、上ストッパー１１と下ストッパー１２はそれぞれレバー部２に当接し、上ストッパー１１と下ストッパー１２は共にラチェット４のラチェットギア４０の嵌合から外れ、この時シャフト３は自由に回転するので、高速で帯を緩めるのに便利である。
【００２１】
従って、上記の説明から次のことが分かる。駆動つめ５がガイド領域１３の行程で引っ張ると、上ストッパー１１は何れもラチェット４を逆回転させない状態を保つことから、凸部２０が下ストッパー１２に当接してラチェット４から離間すると、ラチェット４は依然として上ストッパー１１にブロックされており、上ストッパー１１とラチェット４のラチェットギア４０の嵌合が解除しないよう確保される。したがって、低速で帯を緩める際に急激に帯が緩むことを防止することができ、帯で縛られた貨物が落下することを防止することができ、落下による貨物の損傷や人への傷害を防止することができる。
【００２２】
以上、本考案はこのような実施形態に限定されるものではなく、考案の趣旨を逸脱しない範囲において、種々の形態で実施することができる。
【符号の説明】
【００２３】
１  ：固定部
１０：連接棒
１１：上ストッパー
１２：下ストッパー
１３：ガイド領域
１４：ブロック壁
１５：位置決め溝
１６：スロット
２  ：レバー部
２０：凸部
２１：第２貫通孔
２２：第２凸起
３  ：シャフト
４  ：ラチェット
４０：ラチェットギア
５  ：駆動つめ
６  ：プレート
６０：当接領域
６１：第１貫通孔
６２：第１凸起
７  ：連接部材
９  ：ラチェットバックル
９０：固定部
９１：レバー部
９２：シャフト
９３：ラチェット
９４：ストッパー
９５：ストッパー
９６：駆動つめ
【図１】
0003172869.tif 000003
【図２】
0003172869.tif 000004
【図３】
0003172869.tif 000005
【図４】
0003172869.tif 000006
【図５】
0003172869.tif 000007
【図６】
0003172869.tif 000008
【図７】
0003172869.tif 000009
【図８】
0003172869.tif 000010
【図９】
0003172869.tif 000011